(57)【要約】【課題】地盤にフェンス等の支柱を固定する際に、サイズが異なる複数種類の支柱の固定が可能となる支柱固定用台座を提供する。【解決手段】地盤５に支柱７を固定するための支柱固定用台座において、一対の基板１と、一対の基板１の内側縁部に対向して垂直に固定された一対の支柱支持板３とを備え、基板１には、支柱７の前後方向に長い縦長のアンカーボルト用ボルト孔２が形成され、支柱支持板３には、支柱７の左右方向に長い横長の支柱固定用ボルト孔４が形成され、支柱１は、一対の支柱支持板３間にボルト８により固定される。【選択図】図４
2019190001.tif 000002
【特許請求の範囲】
【請求項１】
地盤に支柱を固定するための支柱固定用台座において、
一対の基板と、前記一対の基板の内側縁部に対向して垂直に固定された一対の支柱支持板とを備え、前記基板には、前記支柱の前後方向に長い縦長のアンカーボルト用ボルト孔が形成され、前記支柱支持板には、前記支柱の左右方向に長い横長の支柱固定用ボルト孔が形成され、前記支柱は、前記一対の支柱支持板間にボルトにより固定されることを特徴とする支柱固定用台座。
【請求項２】
前記支柱固定用ボルト孔は、前記支柱支持板の上下端部に形成されていることを特徴とする、請求項１に記載の支柱固定用台座。
【請求項３】
前記支柱支持板は、平面形状コ字形に形成されていることを特徴とする、請求項１または２に記載の支柱固定用台座。
【請求項４】
請求項１または２に記載の発明において、前記支柱支持板は、平面形状Ｌ字形に形成され、前記支柱支持板の高さ方向中央部には、切欠きが形成されていることを特徴とする支柱固定用台座。
【請求項５】
前記基板と前記支柱支持板との間には、補強リブが固定されていることを特徴とする、請求項１から４の何れか１つに記載の支柱固定用台座。
【請求項６】
前記支柱は、角パイプからなっていることを特徴とする、請求項１から５の何れか１つに記載の支柱固定用台座。
【請求項７】
前記支柱は、丸パイプからなっていることを特徴とする、請求項１から５の何れか１つに記載の支柱固定用台座。
【発明の詳細な説明】
【技術分野】
【０００１】
この発明は、支柱固定用台座、特に、地盤にフェンス等の支柱を固定する際に、サイズが異なる複数種類の支柱の固定が可能となる支柱固定用台座に関するものである。
【背景技術】
【０００２】
例えば、地盤にフェンス用支柱を固定するには、（ａ）図２５に示すように、地盤２１にコンクリート製の基礎ブロック２２を構築し、基礎ブロック２２に支柱２３の下部を埋設する方法、（ｂ）図２６に示すように、地盤２１に直接、支柱２３の下部を埋め込む方法、（ｃ）図２７に示すように、支柱２３の下端に基板２４を固定し、基板２４を地盤２１にアンカーボルト２５により固定する方法、そして、（ｄ）図２８に示すように、地盤２１に支柱固定用台座２６をアンカーボルト２７により固定し、支柱固定用台座２６に支柱２３の下部を挿入し、ボルト２８により支柱２３を支柱固定用台座６に固定する方法がある。
【０００３】
特許文献１には、上記（ｄ）の固定方法に使用する支柱固定用台座が開示されている。以下、この支柱用台座を従来台座といい、図面を参照しながら説明する。
【０００４】
図２９は、従来台座を示す平面図、図３０は、従来台座により支柱を地盤に固定した状態を示す斜視図である。
【０００５】
図２９に示すように、従来台座は、四隅に横長のボルト孔２９が形成され、中央部に開口３０が形成された基板３１と、基板３１の開口３０上に間隔Ｔをあけて対向して垂直に固定された一対の平面形状コ字形の支柱支持板３２と、支柱支持板３２の補強板３３とからなっている。支柱支持板３２には、ボルト孔３４と切欠き３５が形成されている。
【０００６】
図３０に示すように、従来台座によれば、以下のようにして、支柱３６を地盤３７に固定することができる。
【０００７】
先ず、基板３１のボルト孔２９にアンカーボルト３８を通して台座を地盤３７に固定する。そして、一対の支柱支持板３２間に支柱３６の下部を挿入し、ボルト３９を一方の支柱支持板３２のボルト孔３４から支柱３６を貫通して他方の支柱支持板３２のボルト孔３４に通し、固定する。これによって、支柱３６を地盤３７に固定することができる。
【先行技術文献】
【特許文献】
【０００８】
【特許文献１】特開２０１２−２５１３１７号公報
【発明の概要】
【発明が解決しようとする課題】
【０００９】
上記従来台座によれば、基板３１に横長のボルト孔２９を形成することによって、支柱３６の横方向の位置の微調整が行なえる。
【００１０】
また、支柱支持板３２に切欠き３５を形成することによって、支柱３６に取り付けられる格子状パネル４０の最下端の横線４１を支柱３６に固定することが可能になる。
【００１１】
また、補強板３３を設けることによって、支柱支持板３２の強度を高めることができる。
【００１２】
また、支柱支持板３２間に間隔Ｔを設けることによって、ボルト３９による支柱３６の固定時に支柱支持板３２が内側に弾性変形するので、支柱３６をより強固に支柱支持板３２に固定することができる。
【００１３】
しかしながら、従来台座によれば、地盤３７に固定する支柱３６のサイズは、１種類に限られるので、支柱３６のサイズ毎に台座を作る必要があり、コストが嵩む。
【００１４】
従って、この発明の目的は、地盤にフェンス等の支柱を固定する際に、サイズが異なる複数種類の支柱の固定が可能となる支柱固定用台座を提供することにある。
【課題を解決するための手段】
【００１５】
この発明は、上記目的を達成するためになされたものであり、下記を特徴とするものである。
【００１６】
請求項１に記載の発明は、地盤に支柱を固定するための支柱固定用台座において、一対の基板と、前記一対の基板の内側縁部に対向して垂直に固定された一対の支柱支持板とを備え、前記基板には、前記支柱の前後方向に長い縦長のアンカーボルト用ボルト孔が形成され、前記支柱支持板には、前記支柱の左右方向に長い横長の支柱固定用ボルト孔が形成され、前記支柱は、前記一対の支柱支持板間にボルトにより固定されることに特徴を有するものである。
【００１７】
請求項２に記載の発明は、請求項１に記載の発明において、前記支柱固定用ボルト孔は、前記支柱支持板の上下端部に形成されていることに特徴を有するものである。
【００１８】
請求項３に記載の発明は、請求項１または２に記載の発明において、前記支柱支持板は、平面形状コ字形に形成されていることに特徴を有するものである。
【００１９】
請求項４に記載の発明は、請求項１または２に記載の発明において、前記支柱支持板は、平面形状Ｌ字形に形成され、前記支柱支持板の高さ方向中央部には、切欠きが形成されていることに特徴を有するものである。
【００２０】
請求項５に記載の発明は、請求項１から４の何れか１つに記載の発明において、前記基板と前記支柱支持板との間には、補強リブが固定されていることに特徴を有するものである。
【００２１】
請求項６に記載の発明は、請求項１から５の何れか１つに記載の発明において、前記支柱は、角パイプからなっていることに特徴を有するものである。
【００２２】
請求項７に記載の発明は、請求項１から５の何れか１つに記載の発明において、前記支柱は、丸パイプからなっていることに特徴を有するものである。
【発明の効果】
【００２３】
この発明によれば、基板を２分割するとともに、基板に縦長のアンカーボルト用のボルト孔を形成することによって、サイズが異なる複数種類の支柱の固定が可能となる。
【００２４】
また、この発明によれば、支柱支持板の上下端部に横長の支柱固定用ボルト孔を形成することによって、傾斜地盤に容易に対応することができる。
【００２５】
また、この発明によれば、アンカーボルト用のボルト孔を縦長に形成するとともに、支柱支持板の上下端部に横長の支柱固定用ボルト孔を形成することによって、支柱と支柱支持板との間にスペースがある場合には、支柱の前後左右方向の位置の微調整が行なえる。
【図面の簡単な説明】
【００２６】
【図１】この発明の支柱固定用台座を示す平面図である。
【図２】この発明の支柱固定用台座を示す正面図である。
【図３】この発明の支柱固定用台座を示す側面図である。
【図４】この発明の支柱固定用台座によりフェンスの支柱を固定した状態を示す平面図である。
【図５】この発明の支柱固定用台座によりフェンスの支柱を固定した状態を示す正面図である。
【図６】この発明の支柱固定用台座によりフェンスの支柱を固定した状態を示す側面図である。
【図７】この発明の支柱固定用台座によりフェンスの別のサイズの支柱を固定した状態を示す平面図である。
【図８】この発明の支柱固定用台座によりフェンスの別のサイズの支柱を固定した状態を示す正面図である。
【図９】この発明の支柱固定用台座によりフェンスの別のサイズの支柱を固定した状態を示す側面図である。
【図１０】この発明の支柱固定用台座によりフェンスの更に別のサイズの支柱を固定した状態を示す平面図である。
【図１１】この発明の支柱固定用台座によりフェンスの更に別のサイズの支柱を固定した状態を示す正面図である。
【図１２】この発明の支柱固定用台座によりフェンスの更に別のサイズの支柱を固定した状態を示す側面図である。
【図１３】補強リブを取り付けた、この発明の支柱固定用台座によりフェンスの支柱を固定した状態を示す平面図である。
【図１４】補強リブを取り付けた、この発明の支柱固定用台座によりフェンスの支柱を固定した状態を示す正面図である。
【図１５】補強リブを取り付けた、この発明の支柱固定用台座によりフェンスの支柱を固定した状態を示す側面図である。
【図１６】この発明の別の支柱固定用台座によりフェンスの支柱を固定した状態を示す平面図である。
【図１７】この発明の別の支柱固定用台座によりフェンスの支柱を固定した状態を示す正面図である。
【図１８】この発明の別の支柱固定用台座によりフェンスの支柱を固定した状態を示す側面図である。
【図１９】この発明の別の支柱固定用台座によりフェンスの別のサイズの支柱を固定した状態を示す平面図である。
【図２０】この発明の別の支柱固定用台座によりフェンスの別のサイズの支柱を固定した状態を示す正面図である。
【図２１】この発明の別の支柱固定用台座によりフェンスの別のサイズの支柱を固定した状態を示す側面図である。
【図２２】この発明の支柱固定用台座により支柱を傾斜した地盤に固定した状態を示す正面図である。
【図２３】支柱位置を前後左右方向に微調整することができることを示す平面図である。
【図２４】支柱位置を左右方向に微調整することができることを示す正面図である。
【図２５】基礎ブロックにより支柱を地盤に固定した状態を示す正面図である。
【図２６】地盤に直接、支柱を固定した状態を示す正面図である。
【図２７】支柱の下端に固定した基板により支柱を地盤に固定した状態を示す正面図である。
【図２８】地盤に固定した支柱固定用台座により支柱を地盤に固定した状態を示すしょう正面図である。
【図２９】従来台座を示す平面図である。
【図３０】従来台座により支柱を地盤に固定した状態を示す斜視図である。
【発明を実施するための形態】
【００２７】
この発明の支柱固定用台座の一実施態様を、図面を参照しながら説明する。
【００２８】
図１は、この発明の支柱固定用台座を示す平面図、図２は、この発明の支柱固定用台座を示す正面図、図３は、この発明の支柱固定用台座を示す側面図である。
【００２９】
図１から図４において、１は、一対の基板である。一対の基板１の各々の外側コーナー部には、後述する支柱７の前後方向（横断方向）に長い縦長のアンカーボルト用ボルト孔２が形成されている。３は、一対の基板１の内側縁部に対向して垂直に固定された一対の支柱支持板である。支柱支持板３は、平面形状コ字形に形成されている。支柱支持板３の上下端部には、後述する支柱７の左右方向（延長方向）に長い横長の支柱固定用ボルト孔４が形成されている。
【００３０】
このように構成されている、この発明の支柱固定用台座によれば、以下のようにして、地盤にフェンス用支柱を固定することができる。なお、フェンス用支柱以外に門扉用支柱であってもよい。
【００３１】
図４から図６に示すように、地盤５にアンカーボルト６により、この発明の支柱固定用台座を固定する。そして、一対の支柱支持板３間に角パイプからなる支柱７を挿入し、ボルト８をボルト孔４に挿通して、支柱７を格子パネル９とともに支柱支持板３間に固定する。このようにして、地盤５にフェンス用支柱７を固定することができる。
【００３２】
なお、この例では、支柱７は、角パイプからなるが、丸パイプであってもよい。
【００３３】
異なるサイズの支柱７、すなわち、図４から図６に示す支柱７より縦長の支柱７を固定する場合には、図７から図９に示すように、基板１の間隔を広げる。基板１の間隔は、アンカーボルト用ボルト孔２が縦長に形成されているので、容易に広げることができる。図７から図９において、図４から図６におけると同一番号は、同一物を示す。
【００３４】
さらに異なるサイズの支柱７を固定する場合を、図１０から図１２に示す。図１０から図１２において、図４から図６におけると同一番号は、同一物を示す。
【００３５】
図４から図６、および、図７から図９に示す例では、基板１に形成されているアンカーボルト用ボルト孔２が縦長で、支柱支持板３と支柱７との間にスペースがあり、支柱支持板３に形成されている支柱固定用ボルト孔４が横長であるので、図２３、図２４に示すように、支柱７の前後左右方向の位置の微調整が行なえる。図１０から図１２に示す例では、支柱７の前後方向の位置の微調整が行なえる。
【００３６】
支柱支持板３の強度を高める場合には、図１３から図１５に示すように、基板１と支柱支持板３との間に補強リブ１０を固定する。図１３から図１５において、図４から図６におけると同一番号は、同一物を示す。なお、補強リブ１０は、後述する、この発明の別の支柱固定用台座の基板１と支柱支持板３との間に固定してもよい。
【００３７】
なお、この例では、補強リブ１０は、基板１の左右方向に取り付けられているが、基板１の前後方向、あるいは、前後および左右の両方に取り付けてもよい。
【００３８】
図１６から図１８に、この発明の別の支柱固定用台座によりフェンスの支柱７を固定した状態を示す。
【００３９】
この別の支柱固定用台座は、支柱支持板３が平面形状Ｌ字形に形成され、支柱支持板３の高さ方向中央部に切欠き１１が形成されている点のみで、図４から図６に示す支柱固定用台座と異なる。切欠き１１が形成されているので、格子パネル９の下端と支柱支持板３との干渉をなくすことができる。
【００４０】
この別の支柱固定用台座によりサイズの異なる支柱７を固定する場合には、図１９から図２１に示すように、基板１の間隔を広げる。基板１の間隔は、アンカーボルト用ボルト孔２が縦長に形成されているので、容易に広げることができる。
【００４１】
図１６から図１８、および、図１９から図２１に示す支柱固定用台座においても、支柱７の前後左右方向の位置の微調整が行なえる。
【００４２】
支柱７を傾斜した地盤５に固定する場合には、図２２に示すように、支柱支持板３の上下端部に形成されている支柱固定用ボルト孔４が横長になっているので、傾斜地盤に容易に対応することができる。
【００４３】
以上、説明したように、この発明によれば、基板１を２分割するとともに、基板１に縦長のアンカーボルト用ボルト孔２を形成することによって、サイズが異なる複数種類の支柱７の固定が可能となる。
【００４４】
また、この発明によれば、支柱支持板３の上下端部に横長の支柱固定用ボルト孔４を形成することによって、傾斜地盤に容易に対応することができる。
【００４５】
また、この発明によれば、アンカーボルト用ボルト孔２を縦長に形成するとともに、支柱支持板３の上下端部に横長の支柱固定用ボルト孔４を形成することによって、支柱７と支柱支持板３との間にスペースがある場合には、支柱７の前後左右方向の位置の微調整が行なえる。
【符号の説明】
【００４６】
１：基板
２：アンカーボルト用ボルト孔
３：支柱支持板
４：支柱固定用ボルト孔
５：地盤
６：アンカーボルト
７：支柱
８：ボルト
９：格子パネル
１０：補強リブ
１１：切欠き
２１：地盤
２２：基礎ブロック
２３：支柱
２４：基板
２５：アンカーボルト
２６：支柱固定用台座
２７：アンカーボルト
２８：ボルト
２９：ボルト孔
３０：開口
３１：基板
３２：支柱支持板
３３：補強板
３４：ボルト孔
３５：切欠き
３６：支柱
３７：地盤
３８：アンカーボルト
３９：ボルト
４０：パネル
４１：横線
【図１】
2019190001.tif 000003
【図２】
2019190001.tif 000004
【図３】
2019190001.tif 000005
【図４】
2019190001.tif 000006
【図５】
2019190001.tif 000007
【図６】
2019190001.tif 000008
【図７】
2019190001.tif 000009
【図８】
2019190001.tif 000010
【図９】
2019190001.tif 000011
【図１０】
2019190001.tif 000012
【図１１】
2019190001.tif 000013
【図１２】
2019190001.tif 000014
【図１３】
2019190001.tif 000015
【図１４】
2019190001.tif 000016
【図１５】
2019190001.tif 000017
【図１６】
2019190001.tif 000018
【図１７】
2019190001.tif 000019
【図１８】
2019190001.tif 000020
【図１９】
2019190001.tif 000021
【図２０】
2019190001.tif 000022
【図２１】
2019190001.tif 000023
【図２２】
2019190001.tif 000024
【図２３】
2019190001.tif 000025
【図２４】
2019190001.tif 000026
【図２５】
2019190001.tif 000027
【図２６】
2019190001.tif 000028
【図２７】
2019190001.tif 000029
【図２８】
2019190001.tif 000030
【図２９】
2019190001.tif 000031
【図３０】
2019190001.tif 000032